(57)【要約】【課題】配線器具取付枠をボックス本体に取付ける枠取付部が別体の枠取付体で構成される配線用ボックスにおいて、ボックス本体を壁面等に固定する際には、ボックス本体から枠取付体を容易に取り外せると共に、配線器具を取付けた後には、ボックス本体から枠取付体が抜け出ない構成の配線用ボックスの提供である。【解決手段】前面開口２を有するボックス本体１０と、配線器具Ａを取付ける配線器具取付枠Ｆを前記ボックス本体１０の前面開口２に固定するためのビス（螺子）１１が螺入される螺子孔２６を有し、前記ボックス本体１０の前面開口２に臨む部分に対向して設けられた一対の枠取付部とを備え、壁外に露出設置される配線用ボックスＢであって、前記一対の枠取付部は、ボックス本体１０と別体構造の枠取付体Ｇであって、ボックス本体１０に形成された短レール体（被取付部）１４に対し、ボックス本体１０内において前記ビス１１の螺入方向Ｑと直交する方向から着脱可能であって、しかも前記螺入方向Ｑには抜出し不能に取付けられる構成とする。【選択図】        図２
2004201469.tif 000002
【特許請求の範囲】
【請求項１】
前面に開口を有するボックス本体と、配線器具を取付ける配線器具取付枠を前記ボックス本体の前面開口に固定するための螺子が螺入される螺子孔を有し、前記ボックス本体の前面開口に臨む部分に対向して設けられた一対の枠取付部とを備え、壁外に露出設置される配線用ボックスであって、
前記一対の枠取付部は、ボックス本体と別体構造の枠取付体であって、ボックス本体に形成された被取付部に対し、ボックス本体内において前記螺子の螺入方向と直交する方向から着脱可能であって、しかも前記螺入方向には抜出し不能に取付けられることを特徴とする配線用ボックス。
【請求項２】
前記枠取付体は、前記螺子の螺入方向と直交し、しかも一対の枠取付体の各螺子孔を結ぶ線分の方向に沿ってボックス本体に取付けられることを特徴とする請求項１に記載の配線用ボックス。
【請求項３】
前記ボックス本体の開口側の上下端部には、少なくともボックス本体の三側壁に一体に連結されて前記開口を部分的に閉塞する閉塞板部を備え、前記各閉塞板部の裏面には、前記一対の枠取付体が取付けられる被取付部を有し、前記被取付部に前記枠取付体が取付けられた状態で、枠取付体が前記閉塞板部の裏面に当接し、前記螺子の螺入方向への抜出しを防止することを特徴とする請求項１又は２に記載の配線用ボックス。
【請求項４】
前記被取付部は、断面略Ｔ字状をした短レール体で構成され、枠取付体には、前記短レール体にスライドして嵌着されるあり溝が形成されていることを特徴とする請求項３に記載の配線用ボックス。
【請求項５】
前記枠取付体には、ボックス本体に取付けられた状態で、ボックス本体から取り外すための工具を挿入する工具挿入部が形成されていることを特徴とする請求項１ないし４のいずれかに記載の配線用ボックス。
【発明の詳細な説明】
【０００１】
【発明の属する技術分野】
本発明は、ボックス本体の前面開口に臨むようにして、配線器具取付枠を固定する一対の枠固定部が設けられて、壁外に露出設置される配線用ボックスに関するものである。
【０００２】
【従来の技術】
配線用ボックス（以下、単に「ボックス」と略称する場合もある）には、大別して壁内に設置されるものと、壁外に露出状態で設置されるものとがある。ボックスの大部分は、前者のものであるが、建物の施工後においてコンセントを増設したい場合には、壁外に露出した状態でボックスが設置され、この壁外露出型のボックスとしては、例えば、特許文献１に記載のものが知られている。ここで、建物の施工後においてコンセントを増設するために、壁外にボックスを設置する形態には、二種類があり、その一つは、新たにコンセントが必要な部分にボックスを設置する形態（独立設置形態）であり、他の一つは、壁内の既設のボックスの上に更に別のボックスを重ね合わせて壁外に設置する形態（重ね合せ設置形態）である。後者の「重ね合せ設置形態」の場合には、壁外に重ねて設置されたボックスから壁面に沿って別のボックスの部分までケーブルがモール内に収容されて引き出される。
【０００３】
【特許文献１】
特公平５−６１８５０号公報
【０００４】
特許文献１に記載のボックスは、ボックス本体の対向内壁面であって、しかもその開口に臨む部分に小さい突出量をもって一体に突出形成された一対の駒取付部と、各駒取付部の正面開口側から嵌着され、配線器具を取付ける器具取付枠を固定するための枠取付駒とを備えている。また、このボックスは、上記した「重ね合せ設置形態」を可能にするために、ボックス本体の底壁部における前記駒取付部の直下の位置に螺子孔が形成されている。
【０００５】
このため、特許文献１に記載のボックスは、枠取付駒がボックス本体と別に形成されて、ボックス本体の駒取付部に取外し可能に嵌着されているために、ボックス本体の成形が容易であり、また、ボックス本体を壁面に取付ける際に、ボックス本体から枠取付駒を取り外すことで、枠取付駒が邪魔にならず、容易にかつ確実に固定できる利点を有する。
【０００６】
しかしながら、従来のボックスは、枠取付駒をボックス正面側から嵌着する構成であるため、配線器具を固定した後でも、長年の使用により、枠取付駒がボックス本体から抜けるという問題があった。特に、コンセントのようにプラグの抜き差しが行われる場合には、プラグの抜き差しにより、枠取付駒が手前側に引っ張られてボックス本体から抜けてしまう問題があった。この枠取付駒が抜ける問題を解決するために、枠取付駒の嵌着力を増すべく係合を強くすることが考えられるが、係合を強くすることにより、枠取付駒の取外し作業が困難となる別の問題が発生する。
【０００７】
【発明が解決しようとする課題】
本発明の課題は、配線器具取付枠をボックス本体に取付ける枠取付部が別体の枠取付体で構成される配線用ボックスにおいて、ボックス本体を壁面等に固定する際には、ボックス本体から枠取付体を容易に取り外せると共に、配線器具を取付けた後には、ボックス本体から枠取付体が抜け出ない構成の配線用ボックスの提供である。
【０００８】
【課題を解決するための手段】
上記課題を解決するための請求項１の発明は、前面に開口を有するボックス本体と、配線器具を取付ける配線器具取付枠を前記ボックス本体の前面開口に固定するための螺子が螺入される螺子孔を有し、前記ボックス本体の前面開口に臨む部分に対向して設けられた一対の枠取付部とを備え、壁外に露出設置される配線用ボックスであって、前記一対の枠取付部は、ボックス本体と別体構造の枠取付体であって、ボックス本体に形成された被取付部に対し、ボックス本体内において前記螺子の螺入方向と直交する方向から着脱可能であって、しかも前記螺入方向には抜出し不能に取付けられることを特徴としている。
【０００９】
請求項１の発明によれば、配線用ボックスを壁面等に固定する際には、枠取付体が障害となるので、これを取り外してボックスの固定作業を行う。一方、ボックスの固定後においては、ボックス本体内において前記螺子の螺入方向と直交する方向からボックス本体の各被取付部に一対の枠取付体を取付け、各枠取付体の螺子孔に螺子を螺入して、配線器具を取付けるための配線器具取付枠を枠取付体に取付ける。このように、ボックス本体に取付けられた枠取付体は、自身の螺子孔に螺入される螺子の螺入方向と直交する方向から取付けられるので、長年の使用により、或いはコンセントに対してプラグの抜き差しを行ってもその引抜力により、ボックス本体から枠取付体が抜け出ることはない。また、一対の枠取付体に配線器具取付枠を取付けた後には、配線器具取付枠に対して枠取付体が移動できなくなって、ボックス本体から枠取付体が抜け出なくなる。
【００１０】
また、請求項２の発明は、請求項１の発明において、前記枠取付体は、前記螺子の螺入方向と直交し、しかも一対の枠取付体の各螺子孔を結ぶ線分の方向に沿ってボックス本体に取付けられることを特徴としている。
【００１１】
請求項２の発明によれば、ボックス本体に枠取付体を取付けるための作業領域は、ボックス本体の開口全体となるために、ボックス本体に対する枠取付体の取付作業が一層容易となる。
【００１２】
また、請求項３の発明は、請求項１又は２の発明において、前記ボックス本体の開口側の上下端部には、少なくともボックス本体の三側壁に一体に連結されて前記開口を部分的に閉塞する閉塞板部を備え、前記各閉塞板部の裏面には、前記一対の枠取付体が取付けられる被取付部を有し、前記被取付部に前記枠取付体が取付けられた状態で、枠取付体が前記閉塞板部の裏面に当接し、前記螺子の螺入方向への抜出しを防止することを特徴としている。
【００１３】
請求項３の発明によれば、前記被取付部に前記枠取付体が取付けられた状態で、枠取付体が前記閉塞板部の裏面に当接するため、枠取付体が前記螺子の螺入方向への抜出しを確実に防止できる。また、閉塞板部は、前面開口に臨む部分を除く残りの部分は、周囲の三側壁に一体に連結されているために、その取付強度も大きくなる。
【００１４】
また、請求項４の発明は、請求項３の発明において、前記被取付部は、断面略Ｔ字状をした短レール体で構成され、枠取付体には、前記短レール体にスライドして嵌着されるあり溝が形成されていることを特徴としている。
【００１５】
ボックス本体に取付けられた枠取付体は、コンセントのプラグの抜き差し時に発生する引張力によってボックス本体から抜けない構成であるために、請求項４の発明のように、あり溝を有する枠取付体を断面略Ｔ字状の短レール体にスライドさせて嵌着させることが可能となる。これにより、短レール体に対して枠取付体をスライドさせるのみで取付け・取り外しが可能であるので、係止爪を弾性変形させて取付けるような構造が不要となって、枠取付体の取付け・取り外しの操作が容易になる。
【００１６】
また、請求項５の発明は、請求項１ないし４のいずれかの発明において、前記枠取付体には、ボックス本体に取付けられた状態で、ボックス本体から取り外すための工具を挿入する工具挿入部が形成されていることを特徴としている。
【００１７】
請求項５の発明によれば、壁面等にボックス本体を固定する際に、枠取付体を取り外す必要があるが、この際における枠取付体の取外しが容易となる。
【００１８】
【発明の実施の形態】
以下、実施例を挙げて本発明を更に詳細に説明する。図１は、本発明に係る配線用ボックスＢ、配線器具Ａが取付けられた配線器具取付枠Ｆ、化粧プレート取付枠Ｅ及び化粧プレートＤの分解斜視図であり、図２は、ボックス本体１０と、これに取付けられる一対の枠取付体Ｇとの分解斜視図であり、図３は、壁Ｗ内に埋設された既設ボックスＢ’に重ねて本発明に係るボックスＢを取付ける途中の状態を示す断面図であり、図４は、既設ボックスＢ’に重ねて取付けられた本発明に係るボックスＢに配線器具取付枠Ｆを介して配線器具Ａが取付けられた状態の断面図であり、図５は、同様の状態の斜視図であり、図６は、図４のＸ−Ｘ線拡大断面図である。
【００１９】
最初に、ボックス本体１０について説明し、その後に、このボックス本体１０を壁Ｗ内に設置された既設のボックスＢ’の上に重ねて取付けて（固定して）配線する方法について説明する。なお、ボックス本体１０は、その正面視において、方形状をした前面開口２の中心に対して点対称形状である。図２，図３及び図６において、ボックス本体１０の前面は、その上下端部が横方向に沿って閉塞板部１で部分的に閉塞されて、残りの大部分は、方形状の前面開口２となっている。上下の各閉塞板部１は、ボックス本体１の前端面と同一面となっており、前面開口２に臨む部分を除く残りの部分は、周囲の各側壁５ａ, ５ｂと一体に連結されているので、ボックス本体１０に対する取付強度が大きい。ボックス本体１０の底壁３の上下端部（前記各閉塞板部１の背面部）は、前記所定幅だけ切り欠かれて、それぞれ底面開口４となっている。また、上下に対向する各側壁５ａの前記底壁３の側には、建物壁の壁面に沿って配設される配線保護カバーＣ（図４及び図５参照）の端部を接続させるための接続開口６が底壁３の側に開口して設けられている。各接続開口６には、閉塞蓋７が嵌着されて、ボックス本体１０に対して配線保護カバーＣを接続する際に、取り外すようになっている。なお、本実施形態の上下の各閉塞板部１は、ボックス本体１０の前端面と同一面となっていて、配線器具取付枠Ｆが密着する構成であるが、ボックス本体１０の前面開口２よりも僅かに奥側に入り込んだ部分において周囲の各周壁５ａ，５ｂに一体に設けることも可能である。
【００２０】
ボックス本体１０の底壁３の上下端部には、一つの中央ビス挿通孔８と、一対の側部ビス挿通孔９との計３個のビス挿通孔が横方向に沿ってそれぞれ形成されている。よって、ボックス本体１０の底壁３には、計６個のビス挿通孔８，９が開けられて、図３に示されるように、いずれかのビス挿通孔８，９にビス１１を螺入して、ボックス本体１０を壁面に固定する構成になっている。また、前記「重ね合せ設置形態」でボックス本体を壁外に設置する場合に、既設のボックスＢ’から壁外に既配線ケーブルＫ及び増設ケーブルＫ0 を引き出し可能とするために、ボックス本体１０の底壁３には、この方形状の底壁３と略相似小形の折取スリット１２が周方向に沿って部分的に断続して形成され、前記折取スリット１２の部分を打ち抜くことにより、背面の既設のボックスＢ’の開口と接続するケーブル挿通開口１３（図３及び図４参照）が形成される。
【００２１】
また、ボックス本体１０の前面開口２の上下一体形成された各閉塞板部１の裏面側であって、しかも横方向の中央位置には、断面略Ｔ字状をした短レール体１４が以下の方向に沿って一体に形成されている。即ち、短レール体１４は、ボックス本体１０を固定するビス１１の螺入方向Ｐと直交し、しかもボックス本体１０に各枠取付体Ｇを取付けた状態で、その各螺子孔２６を結ぶ線分の方向Ｐに沿って、ボックス本体１０に一体に形成されている。また、上下の各閉塞板部１には、ボックス本体１０の前面開口２の中心に対して点対称位置にそれぞれ１個の位置決め突起１５が前方に突出して形成されている。この位置決め突起１５は、図５に示されるように、ボックスＢに対して配線器具取付枠Ｆを正規の位置に位置決めして取付けるための部材である。
【００２２】
また、図７は、ボックス本体の短レール体１４の部分を裏面側から見た部分斜視図であり、図８は、図３のＹ−Ｙ線拡大断面図である。図７及び図８に示されるように、閉塞板部１の裏面に取付けられた短レール体１４の奥側の周囲には、全体形状コの字形をした圧入突起部１６が形成されており、この圧入突起部１６における短レール体１４の両側に形成された部分は、奥側に向けて徐々にその高さが高くなっている。この圧入突起部１６は、短レール体１４に枠取付体Ｇをスライドさせて嵌着させる際に、枠取付体Ｇが乗り上がることにより、枠取付体Ｇのあり溝２１の内面に短レール体１４を相対的に圧入させて、取り外れにくくする機能を有する。なお、図２において、１７は、ボックスＢの射出成形時において、閉塞板部１の裏面側の短レール体１４のアンダーカット部の成形を可能にするために使用するスライド型（中子型）の成形孔を示し、ボックスとしての機能には無関係である。
【００２３】
次に、ボックス本体１０に対して配線器具取付枠Ｆを取付けるために、前記ボックス本体１０に対して着脱可能に嵌着される枠取付体Ｇについて説明する。図１，図２，図３及び図８において、枠取付体Ｇは、スライド方向に沿って、その途中まで前記短レール体１４に嵌着されるあり溝２１が形成されたあり溝形成部２２と、残りの螺子孔形成部２３との二つの部分で構成される。螺子孔形成部２３におけるあり溝２１の正面開口面２１ａの側は、前記正面開口面２１ａに対して垂直な方向に僅かの長さだけ突出していて、前記正面開口面２１ａと直交して交叉する面は、ボックス本体１０の短レール体１４に枠取付体Ｇを前記スライド方向Ｐに沿ってスライドさせて嵌着させる際に、前記閉塞板部１の端面１ａに当接してスライド端を定めるスライド端規制面２４となっている。また、枠取付体Ｇの螺子孔形成部２３にはナット体２５（図９参照）が埋設されて、前記あり溝２１と直交する方向の螺子孔２６が形成されている。
【００２４】
よって、図２に示されるように、ボックス本体１０の内部において、枠取付体Ｇをボックス本体１０内における短レール体１４の延長線上に配置しておいて、そのまま枠取付体Ｇを短レール体１４に対してスライド方向Ｐにスライドさせると、枠取付体Ｇのあり溝２１にボックス本体１０の短レール体１４が相対的に嵌着されて、図１に示されるように、ボックス本体１０の底壁３に形成された中央ビス挿通孔８の直上位置に枠取付体Ｇが配置されて取付けられる。
【００２５】
また、図２及び図９に示されるように、枠取付体Ｇのあり溝形成部２２の背面側であって、しかもあり溝２１の底面開口面２１ｂの部分は、僅かに欠落されて工具挿入孔２７を形成している。前述したように、壁外に使用される本発明に係るボックスを「重ね合せ設置形態」で使用する場合には、ボックス本体１０の中央ビス挿通孔８の使用が不可欠となり、ボックス本体１０を既設のボックスＢ’に固定する際に、ボックス本体１０に取付けられている各枠取付体Ｇが工具（ドライバー）と干渉するため、各枠取付体Ｇを取り外す必要がある。この場合には、図９に示されるように、ボックス本体１０の背面側から底面開口４を挿通して工具Ｔの先端の薄肉部Ｔａを枠取付体Ｇの前記工具挿入孔２７に挿入し、そのまま工具Ｔにおける側壁５ａとの当接点を支点にして工具を回動させると、「てこ作用」によって、枠取付体Ｇは、過大な力を受けてボックス本体１０の短レール体１４から簡単に取り外れる。
【００２６】
また、配線器具Ａを取付けるための配線器具取付枠Ｆは、ボックス本体１０の上下の各閉塞板部１の前面に当接した状態で取付けられる。配線器具Ａは、配線器具取付枠Ｆの中央の開口３１に挿入されて、配線器具取付枠Ｆの前面から所定厚だけ突出した状態で、該器具取付枠Ｆに固定状態で取付けられる。配線器具取付枠Ｆの開口３１の上方及び下方であって、横方向（幅方向）の中央部には、横方向に長孔状となったビス挿通長孔３２が形成される。このビス挿通長孔３２には、配線器具取付枠Ｆをボックス本体の枠取付体Ｇに固定するためのビス３３が挿通される。また、配線器具取付枠Ｆの上方のビス挿通長孔３２の直上、及び下方のビス挿通長孔３２の直下の部分は、部分的に前面側に切り起こされて、この部分にビス下孔３４が形成されている。このビス下孔３４には、化粧プレート取付枠Ｅを配線器具取付枠Ｆに固定するためのビス３５が螺入される。また、上下一対の各ビス挿通長孔３２の両側には、それぞれ位置決め孔３６が形成されている。この位置決め孔３６は、ボックス本体１０の前面に配線器具取付枠Ｆを取付ける際に、ボックス本体１０の位置決め突起１５が嵌合されて、両者の位置決めがなされる。
【００２７】
また、化粧プレート取付枠Ｅは、図１に示されるように、方形枠状をなしていて、配線器具取付枠Ｆの一対のビス下孔３４と同一ピッチをおいて上下方向に沿って一対のビス挿通孔４１が設けられている。また、化粧プレート取付枠Ｅの四隅部には、化粧プレートＤの裏面側に突設された係合爪４２と係合される係合孔４３が形成されている。
【００２８】
次に、コンクリート壁Ｗ内に設置（埋設）されている既設のボックスＢ’に重ね合わせた状態で、本発明に係るボックスＢを前記コンクリート壁Ｗの外側に設置して、壁外の別の場所にコンセントを増設して配線する方法について説明する。まず、既設のボックスＢ’に取付けられている化粧プレートＤ，化粧プレート取付枠Ｅ，配線器具を取付けている配線器具取付枠Ｆを取り外して、既設のボックスＢ’の開口を壁表に臨ませる。この状態で、既設ボックスＢ’に接続されている電線管６１に増設用のケーブルＫ0 を挿通して、既設ボックスＢ’の開口から壁表に引き出す。この状態では、既設ボックスＢ’に配線器具取付枠Ｆを取付けるための上下一対の螺子孔６２は、壁表に臨んで露出している。この上下一対の螺子孔６２は、既設ボックスＢ’の幅方向の中央に設けられて、既設ボックスＢ’の上に本発明に係るボックスＢを重ね合わせた状態において、枠取付体Ｇに設けられた螺子孔２６と略同一線上に位置している。このため、「重ね合せ設置形態」においては、ボックスＢの底壁３に設けられた中央ビス挿通孔８に挿通されたビス１１を、既設ボックスＢ’の螺子孔６２に螺入して、既設ボックスＢ’に重ねてボックスＢを取付ける際に、ボックスＢの枠取付体Ｇが障害となる。
【００２９】
そこで、ボックス本体１０の各短レール体１４に嵌着されている各枠取付体Ｇを上記した方法によって工具Ｔを使用して取り外しておく。また、ボックス本体１０の底壁３は、その方形状をした折取スリット１２よりも内側の部分を取り外して、ケーブル挿通開口１３を形成しておく。この状態で、図３に示されるように、既設ボックスＢ’にボックス本体１０を重ね合わせると、ボックス本体１０の上下の中央ビス挿通孔８が既設ボックスＢ’の螺子孔６２と合致し、ドライバー５２を使用して、ボックス本体１０の中央ビス挿通孔８に挿通されたビス１１を既設ボックスＢ’の螺子孔６２に螺入させると、既設ボックスＢ’の上にボックス本体１０が壁表に露出した状態で取付けられる。なお、上記のようにして既設ボックスＢ’にボックス本体１０を取付ける前に、ボックス本体１０の側壁５ａに設けられた何れか一方、又は双方の閉塞蓋７は取り外されて、接続開口６が形成されている。
【００３０】
次に、壁表に設置されたボックス本体１０の接続開口６から内部に向けて配線用保護カバーＣの端部を挿入して、該配線用保護カバーＣを壁表に取付けて、該保護カバーＣ内に収容された増設用のケーブルＫ0 を増設用のボックスの設置位置まで導く。なお、配線用保護カバーＣは、壁表に固定される基台（ベース）５３と、これに覆い被せられる蓋体（カバー）５４とで構成される。
【００３１】
次に、壁表に露出して取付けられたボックス本体１０の前面開口２内に枠取付体Ｇを配置して、ボックス本体１０の上下の各閉塞板部１の裏面に取付けられた各短レール体１４に対して各枠取付体Ｇをスライド方向Ｐに沿ってスライドさせて、短レール体１４に対して枠取付体Ｇを嵌着させる（図１参照）。
【００３２】
次に、図３に示されるようにして、ケーブルＫに接続された状態で壁表に取り出されていた配線器具Ａを取付けている配線器具取付枠Ｆを、ボックス本体１０の上下の各閉塞板部１の前面に当接させて、ビス挿通長孔３２に挿通されたビス３３を枠取付体Ｇの螺子孔２６に螺入させると、配線器具Ａを取付けている配線器具取付枠Ｆがボックス本体１の開口面に取付けられる。このようにして、ボックス本体１０に配線器具取付枠Ｆが取付けられることにより、各枠取付体Ｇは、配線器具取付枠Ｆに対して矢印Ｐ方向に移動できなくなると共に、ボックス本体１０の手前側に抜け出なくなる。なお、ボックス本体１０の前面に配線器具取付枠Ｆを取付ける際には、上下に一対ずつ形成された位置決め孔３６のうち対角線方向の２個の位置決め孔３６に、ボックス本体１０の位置決め突起１５を嵌合させることにより、ボックス本体１０に対する配線器具取付枠Ｆの位置決めを行う。
【００３３】
最後に、配線器具取付枠Ｆの前面に上下２本のビス３５を介して化粧プレート取付枠Ｅを取付け、該化粧プレート取付枠Ｅの前面に化粧プレートＤを取付けると、既設ボックスＢ’に重ね合わせられた状態で、本発明に係るボックスＢがコンクリート壁Ｗの壁表に露出した状態で取付けられる。なお、図３及び図４において、６３は、コンクリート壁Ｗの前面に配置された壁板を示す。
【００３４】
そして、壁表に露出して取付けられたボックスＢの前面のコンセントに対してプラグの抜き差しを行っても、ボックス本体１０に取付けられる枠取付体Ｇは、自身の螺子孔２６に螺入されるビス３３の螺入方向Ｑと直交する方向Ｐに沿ってスライドされて短レール体１４に嵌着されているために、コンセントに対してプラグの抜き差しを行っても、その引抜力によってボックス本体１０（の短レール体１４）から枠取付体Ｇが抜け出ることはない。
【００３５】
また、本発明は、配線用ボックスを構成する一対の枠取付部が、ボックス本体と別体構造の枠取付体であって、ボックス本体内において配線器具取付枠にボックス本体の前面開口に固定する螺子の螺入方向と直交する方向からボックス本体に取付可能に構成されていればよいので、ボックス本体に対する枠取付体の取付方向は、上記の方向に限定されず、一般的には、ボックス本体の開口面に含まれる方向であれば如何なる方向であってもよい。具体的には、上記実施形態において、枠取付体Ｇを横方向Ｒ（図１参照）にスライドさせて取付けることも可能であり、更に斜め方向であっても可能である。更に、構造面からは、断面略Ｔ字状の短レール体１４と、この断面略Ｔ字状に対応するあり溝２１との組み合わせに限られず、係合構造によることも可能である。この係合構造の場合でも、係合方向のみによってプラグの引抜力では外れない構造が実現できるので、大きな係合力は必要なくなる。
【００３６】
また、本発明に係る配線用ボックスの用途に関しては、上記実施形態のような「重ね合せ設置形態」に限られず、壁表の新たにコンセントが必要な部分に設置する「独立設置形態」の場合でも使用可能である。この「独立設置形態」の場合においても、枠取付体Ｇを取り外した状態で、ボックス本体を壁面に固定するための螺子の螺入作業を行えるので、枠取付部とドライバーとの干渉がなくなって作業し易くなる。なお、「独立設置形態」の場合には、底壁３にケーブル挿通開口１３を設ける必要はない。
【００３７】
【発明の効果】
本発明に係る配線用ボックスは、ボックス本体に設けられる一対の枠取付部が別体の枠取付体で構成され、しかも別体の枠取付体は、ボックス本体に形成された被取付部に対し、ボックス本体内において前記螺子の螺入方向と直交する方向から着脱可能であって、しかも前記螺入方向には抜出し不能に取付けられるので、ボックス本体を壁面等に固定する際には、ボックス本体から枠取付体を容易に取り外せると共に、配線器具を取付けた後には、ボックス本体から枠取付体が抜け出なくなる。
【図面の簡単な説明】
【図１】本発明に係る配線用ボックスＢ、配線器具Ａが取付けられた配線器具取付枠Ｆ、化粧プレート取付枠Ｅ及び化粧プレートＤの分解斜視図である。
【図２】ボックス本体１０と、これに取付けられる一対の枠取付体Ｇとの分解斜視図である。
【図３】壁Ｗ内に埋設された既設ボックスＢ’に重ねて本発明に係るボックスＢを取付ける途中の状態を示す断面図である。
【図４】既設ボックスＢ’に重ねて取付けられた本発明に係るボックスＢに配線器具取付枠Ｆを介して配線器具Ａが取付けられた状態の断面図である。
【図５】同様の状態の斜視図である。
【図６】図４のＸ−Ｘ線拡大断面図である。
【図７】ボックス本体の短レール体１４の部分を裏面側から見た部分斜視図である。
【図８】図３のＹ−Ｙ線拡大断面図である。
【図９】ボックス本体１０から枠取付体Ｇを取り外す状態を示す部分拡大断面図である。
【符号の説明】
Ａ：配線器具
Ｂ：配線用ボックス
Ｆ：配線器具取付枠
Ｇ：枠取付体
Ｐ：枠取付体のスライド方向
Ｑ：ボックス本体に配線器具取付枠を取付けるビスの螺入方向
１：閉塞板部
２：前面開口
１０：ボックス本体
１１：ボックス本体に配線器具取付枠を取付けるビス
１４：短レール体（枠取付体の被取付部）
２１：あり溝
２６：枠取付体の螺子孔
２７：工具挿入孔
【図１】
2004201469.tif 000003
【図２】
2004201469.tif 000004
【図３】
2004201469.tif 000005
【図４】
2004201469.tif 000006
【図５】
2004201469.tif 000007
【図６】
2004201469.tif 000008
【図７】
2004201469.tif 000009
【図８】
2004201469.tif 000010
【図９】
2004201469.tif 000011